(57)【特許請求の範囲】
【請求項１】
機器・器具本体内部への水の侵入を防止する防水パッキン構造であって、
本体内面に設けられたナットを挿入するためのポケット部と、このポケット部内に挿入されたナットの上側の本体にナット上端に近接するように設けられた突起挿入孔と、この突起挿入孔に挿入するための突起及びボルト挿通孔を有する弾性体からなるパッキンとを備え、
ポケット部内にナットが挿入され、本体の突起挿入孔に本体の外面側からパッキンの突起が挿入されて、パッキンが仮固定されるとともにナットの動きが規制され、このパッキンの外面側にはパッキン押え部材が配設されて、パッキン押え部材のボルト挿通孔、パッキンのボルト挿通孔及び本体のボルト挿通孔にボルトが挿通され、ボルトの先端部が前記ナットに螺合して、本体外面にパッキンを介してパッキン押え部材が取り付けられるように構成されたことを特徴とする防水パッキン構造。
【請求項２】
パッキンの突起の根元に、本体の突起挿入孔を通過することができる程度の大きさの鍔部を設け、この鍔部とパッキン面とで本体の板状部を挟持するようにした請求項１記載の防水パッキン構造。
【請求項３】
パッキンが一体に成形されたものである請求項１又は２記載の防水パッキン構造。
【請求項４】
パッキンのボルト挿通孔の周縁部がボルトのねじ溝に嵌入するように、パッキンのボルト挿通孔の周縁部に円周状の傾斜部が設けられて該周縁部が尖った形状となっている請求項１、２又は３記載の防水パッキン構造。
【請求項５】
本体外面のパッキンが当接する部分に、回り止め用突起を設けた請求項１〜４のいずれかに記載の防水パッキン構造。
【請求項６】
本体外面のパッキンが当接する部分に、本体のボルト挿通孔の周囲に位置するように円周状の防水用突起を設けた請求項１〜５のいずれかに記載の防水パッキン構造。
【請求項７】
パッキン押え部材が取付部材である請求項１〜６のいずれかに記載の防水パッキン構造。
【発明の詳細な説明】
【０００１】
【発明の属する技術分野】
本発明は、スピーカ・監視カメラ等の機器、照明器具等の器具の内部への水の浸入を防止する防水パッキン構造、例えば機器・器具の取付部の防水パッキン構造に関するものである。
【０００２】
【従来の技術】
スピーカや照明器具、監視カメラ等の機器又は器具、例えばスピーカの取付に、図９及び図１０に示すように、断面略コ字状の取付部材（アングル）１０を使用する場合がある。スピーカ１２を屋外に設置する場合は、取付部材１０の取付部分から水（雨水）が浸入することを防ぐために、ゴム等の弾性体からなるパッキン１４を取付部材１０とスピーカ１２の本体１６との間に挟んだりしている。１８はボルトで、取付部材１０のボルト挿通孔２０、パッキン１４のボルト挿通孔２２を通して、ボルト１８の先端部を、スピーカの本体１６の内側に配置されたナット（図示略）に螺合させて、スピーカが取り付けられるとともに、防水パッキン構造が組み立てられる。
【０００３】
【発明が解決しようとする課題】
しかし、従来の取付方法では、スピーカ１２の取付は、パッキン１４及び本体１６内側のナットが落下しないように、パッキン１４及びナットを押さえながら、スピーカの本体１６と取付部材１０とをボルト止めする必要があり、取付作業がきわめて面倒であった。
【０００４】
本発明は上記の点に鑑みなされたもので、本発明の目的は、本体内面にナットを挿入するポケット部、ナット挿入部（ポケット部）の本体に設けられたパッキンの突起挿入用の孔、及びこの孔に挿入される突起を有するパッキンを備え、ナットを挿入して、パッキンの突起を孔に挿入することにより、パッキンはその突起により自身は仮固定されるとともに、パッキンの突起がナットを固定し、すなわち、ナットの抜け止めとなり、このため、パッキン及びナットを押さえて作業する必要のない防水パッキン構造を提供することにある。
【０００５】
【課題を解決するための手段】
上記の目的を達成するために、本発明の防水パッキン構造は、機器・器具本体内部への水の侵入を防止する防水パッキン構造であって、本体内面に設けられたナットを挿入するためのポケット部と、このポケット部内に挿入されたナットの上側の本体にナット上端に近接するように設けられた突起挿入孔と、この突起挿入孔に挿入するための突起及びボルト挿通孔を有する弾性体からなるパッキンとを備え、ポケット部内にナットが挿入され、本体の突起挿入孔に本体の外面側からパッキンの突起が挿入されて、パッキンが仮固定されるとともにナットの動きが規制され、このパッキンの外面側にはパッキン押え部材が配設されて、パッキン押え部材のボルト挿通孔、パッキンのボルト挿通孔及び本体のボルト挿通孔にボルトが挿通され、ボルトの先端部が前記ナットに螺合して、本体外面にパッキンを介してパッキン押え部材が取り付けられるように構成されている（図１〜図３参照）。
【０００６】
上記の防水パッキン構造において、パッキンの突起の根元に、本体の突起挿入孔を通過することができる程度の大きさの鍔部を設け、この鍔部とパッキン面とで本体の板状部を挟持するように構成することが望ましい。また、パッキンは一体に成形されたものであることが望ましい。
また、パッキンのボルト挿通孔の周縁部がボルトのねじ溝に嵌入するように、パッキンのボルト挿通孔の周縁部に円周状の傾斜部が設けられて該周縁部が尖った形状となっているように構成する場合もある（図４参照）。
また、本体外面のパッキンが当接する部分に、回り止め用突起を設けた構成とする場合もある（図５、図６参照）。
さらに、本体外面のパッキンが当接する部分に、本体のボルト挿通孔の周囲に位置するように円周状の防水用突起を設けた構成とする場合もある（図７、図８参照）。
パッキン押え部材の一例として、機器・器具の取付部材を挙げることができる。
【０００７】
【発明の実施の形態】
以下、本発明の実施の形態を機器・器具の取付部材取付部に適用する場合について説明するが、本発明は下記の実施の形態に何ら限定されるものではなく、適宜変更して実施することができるものである。
図１は本発明の実施の第１形態による防水パッキン構造の断面を示し、図２は図１におけるパッキン形状を示し、図３は図１におけるポケット部及びナットを示している。
図１及び図３において、２４はナット挿入用のポケット部で、スピーカ等の機器や照明器具等の器具の本体１６の内面に本体１６と一体に形成されている。本体１６の材質は合成樹脂又は金属である。なお、図１において、右側が本体１６の外側、左側が本体１６の内側である。
【０００８】
このポケット部２４内には板状のナット２６が挿入され、挿入されたナット２６の上側の本体１６に、ナット２６の上部に近接するように突起挿入孔２８が穿設されている。ナット２６として、一例として矩形状のものを示しているが、６角ナット等、他の形状のものでも良い。３０はナットのねじ孔、３２はポケット部２４が形成された本体１６に穿設されたボルト挿通孔、３４はボルト１８の先端部が当たらないようにするための切欠部である。なお、切欠部３４を設けずに、この部分を本体１６の内側方向に脹らますように構成することも可能である。
【０００９】
図２はパッキン３６の一例を示している。パッキン３６はゴム、軟質プラスチック等の弾性体からなり、本体の突起挿入孔２８に挿入するための棒状の突起３８を上部に、ボルト挿通孔２２を略中央部に具えている。また、突起３８の根元には、本体の突起挿入孔２８に押し込むことにより通過することができる程度の大きさのリング状の鍔部４０が設けられて、この鍔部４０を突起挿入孔２８の内側に押し出して、本体１６の板状部を挟持し、パッキン３６が本体１６の突起挿入孔２８から抜けることなく、本体１６に強固に仮固定されるように構成されている。なお、鍔部４０とパッキン３６の表面との間隔は、挟持しようとする本体１６の板状部の厚さとほぼ一致している。
突起３８、鍔部４０を有するパッキン３６は、一体に成形されたものを用いることが好ましい。なお、パッキン３６の形状は、図２に示す形状に限定されるものではなく、円形、楕円形、ひょうたん形、その他任意の形状のものを用いることができる。
【００１０】
上記のような構成において、ポケット部２４内にナット２６を挿入し、本体１６の突起挿入孔２８に本体１６の外面側（図１及び図３における右側）からパッキン３６の突起３８を挿入し、鍔部４０を本体１６の内側（図１及び図３における左側）に引き出して、鍔部４０とパッキン面とで本体１６の板状部を挟持する。この結果、パッキン３６は本体１６の板状部に強固に仮固定されるとともに、鍔部４０の下端がナット２６の上端に当接するか、又は近接して、ナット２６の動きが規制され、ナットの抜け止めが図られるとともに、ナット２６が固定される。
【００１１】
パッキン３６の外面側にアングル等の取付部材１０を配置し、取付部材１０のボルト挿通孔２０、パッキン３６のボルト挿通孔２２及び本体１６のボルト挿通孔３２にボルト１８を挿入し、ボルト１８の先端部をナット２６ねじ孔３０に螺合させることにより、本体１６の外面にパッキン３６を介して取付部材１０が強固に取り付けられ、防水パッキン構造が形成される。
上記の実施形態では、突起３８の根元に鍔部４０を設ける場合について説明したが、鍔部を設けない構成とすることも可能である。また、機器・器具の取付部材（取付具）に適用する場合について説明したが、取付具以外の部分にも適用することができる。
【００１２】
図４は本発明の実施の第２形態による防水パッキン構造の断面を示している。本実施形態は、パッキン３６のボルト挿通孔２２ａの周縁部がボルト１８のねじ溝に嵌入するように、この周縁部に円周状（環状）の傾斜部４２を設けて、この周縁部が尖った環形状となるように構成したものである。
このように構成することにより、孔周縁部の傾斜部４２の先端部がボルト１８のねじ溝内に嵌り込んで、雨水等の侵入をより確実に防止することができる。他の構成及び作用は実施の第１形態の場合と同様である。
【００１３】
図５及び図６は本発明の実施の第３形態による防水パッキン構造を示している。本実施形態は、パッキン３６が本体１６に当たる部分に回り止め用突起４４を設けて、パッキン３６にこれらの突起４４が食い込む構造としたものである。これにより、パッキン３６の回転を防止することができる。突起４４の形状は、本体１６のボルト挿通孔３２の近傍から放射状に延びた突起でも良く、又は小突起を設けるだけでも良い。他の構成及び作用は実施の第１、２形態の場合と同様である。
【００１４】
図７及び図８は本発明の実施の第４形態による防水パッキン構造を示している。本実施形態は、突起を設ける点では実施の第３形態の場合と同様であるが、回り止めのためではなく、本体１６のボルト挿通孔３２からの水の侵入を防止するためのものである。したがって、本体１６のボルト挿通孔３２の周囲に円周状の防水用突起４６を設けている。この突起４６はボルト挿通孔３２の近傍でも良く、又はもっと外側に設けても良い。他の構成及び作用は実施の第１、２、３形態の場合と同様である。
【００１５】
【発明の効果】
本発明は上記のように構成されているので、つぎのような効果を奏する。
（１）  機器・器具の本体の内面にナットを挿入するポケット部、このポケット部の本体に設けられたパッキンの突起挿入用の孔、及びこの孔に挿入される突起を有するパッキンを備え、ポケット部にナットを挿入してパッキンの突起を突起挿入孔に挿入することにより、パッキンはその突起により自身は仮固定されるとともに、パッキンの突起がナットを固定してナットの抜け止めとなり、このため、パッキン及びナットを押さえて組立作業する必要がなく、組立が簡単になり、作業効率が向上する。
（２）  パッキンの突起の根元にリング状の鍔部を設ける場合は、パッキンの抜け止めを図るとともに、パッキンを本体に強固に仮固定することができ、さらに、突起挿入孔の防水をより確実に行うことができる。
（３）  パッキンのボルト挿通孔の周縁部に傾斜部が設けられる場合は、傾斜部の先端がボルトのねじ溝に嵌り込んで、より確実に防水することができる。
（４）  パッキンが突起で仮固定されているので、パッキン面と取付部材面等のパッキン押え部材面、本体面とのすべり止めの効果が大きい。
（５）  パッキンが本体に当たる部分に回り止め用突起を設ける場合は、パッキンの回転をより確実に防止することができる。
（６）  本体のボルト挿通孔の周囲に円周状の防水用突起を設ける場合は、ボルト挿通孔からの水の侵入をより確実に防止することができる。
【図面の簡単な説明】
【図１】本発明の実施の第１形態による防水パッキン構造の縦断面図である。
【図２】図１におけるパッキンを示す斜視図である。
【図３】図１におけるポケット部及びナットの斜視図である。
【図４】本発明の実施の第２形態による防水パッキン構造の縦断面図である。
【図５】本発明の実施の第３形態による防水パッキン構造における本体のボルト挿通孔まわりの縦断面図である。
【図６】図５の右側面説明図である。
【図７】本発明の実施の第４形態による防水パッキン構造における本体のボルト挿通孔まわりの縦断面図である。
【図８】図７の右側面説明図である。
【図９】スピーカを取付部材（アングル）で取り付ける場合の取付部の防水パッキン構造の従来例を示す斜視図である。
【図１０】図９において鎖線円で囲まれた部分の拡大図である。
【符号の説明】
１０  取付部材（アングル）
１２  スピーカ
１４  パッキン
１６  本体
１８  ボルト
２０、２２、２２ａ、３２  ボルト挿通孔
２４  ポケット部
２６  ナット
２８  突起挿入孔
３０  ねじ孔
３４  切欠部
３６  パッキン
３８  突起
４０  鍔部
４２  傾斜部
４４  回り止め突起
４６  防水用突起
【図１】
0003965004.tif 000002
【図２】
0003965004.tif 000003
【図３】
0003965004.tif 000004
【図４】
0003965004.tif 000005
【図５】
0003965004.tif 000006
【図６】
0003965004.tif 000007
【図７】
0003965004.tif 000008
【図８】
0003965004.tif 000009
【図９】
0003965004.tif 000010
【図１０】
0003965004.tif 000011